(57)【要約】【課題】多面付ホログラム用基材に多面付けで精度良くホログラムを形成することができるホログラム露光装置およびホログラム露光方法を提供する。【解決手段】ホログラム露光装置２０はベース２１と、ベース２１上に設けられ多面付ホログラム用基材１０を垂直方向に保持する枠体２２とを備えている。枠体２２はベース２１上において上下方向および水平方向に移動可能となっており、上下方向移動機構２８により上下方向に移動し、水平方向移動機構３０により水平方向に移動する。枠体２２に保持された多面付ホログラム用基材１０に対して、一方の側面から物体光が水平方向に入射し、他方の側面から参照光が水平方向に入射して、多面付ホログラム用基材１０に要素ホログラム１０ａが形成される。【選択図】図１
2007122039.tif 000002
【特許請求の範囲】
【請求項１】
基材と、この基材上に多面付けで設けられた複数の要素ホログラムとからなる多面付ホログラムを製造するためのホログラム露光装置において、
ベースと、
ベース上に配置され、基材と基材上に設けられたホログラム感光材料とからなる多面付ホログラム用基材を垂直方向に保持するとともにベース上で上下方向および水平方向に移動可能な枠体と、
ベース上で枠体を上下方向に移動させる上下方向移動機構と、
ベース上で枠体を水平方向に移動させる水平方向移動機構とを備え、
多面付ホログラム用基材に対して物体光および参照光を照射してホログラム感光材料に多面付けされた複数の要素ホログラムを形成することを特徴とするホログラム露光装置。
【請求項２】
ベース上であって多面付ホログラム用基材を保持する枠体に対向する位置に、ホログラム原版を保持するホログラム原版保持部を設け、ホログラム原版より回折する光によって物体光を生成することを特徴とする請求項１記載のホログラム露光装置。
【請求項３】
多面付ホログラム用基材は矩形状をなし、枠体に多面付ホログラム用基材の隣り合う２辺に当接する係止部材を設け、かつ枠体に多面付ホログラム用基材の他の２辺に多面付ホログラム用基材を枠体の係止部材に対して押圧する押圧部材を設けたことを特徴とする請求項１記載のホログラム露光装置。
【請求項４】
枠体に近接して、多面付ホログラム用基材に入射する物体光および参照光を一部遮蔽する物体光用マスクと参照光用マスクを設けたことを特徴とする請求項１記載のホログラム露光装置。
【請求項５】
上下方向移動機構は、機械的ブレーキ装置を内蔵していることを特徴とする請求項１記載のホログラム露光装置。
【請求項６】
多面付ホログラム用基材は、一対の反射防止ガラスにより狹持されて枠体に保持されていることを特徴とする請求項１記載のホログラム露光装置。
【請求項７】
物体光と参照光を生成するためのレーザ光を出射するレーザ光出射部が設けられ、
多面付ホログラム用基材の近傍に、物体光を遮蔽する物体光用シャッタ機構と、参照光を遮蔽する参照光用シャッタ機構が設けられ、
上下方向移動機構、水平方向移動機構、物体光用シャッタ機構および参照光用シャッタ機構は、制御部により互いに関連付けて駆動制御されることを特徴とする請求項２記載のホログラム露光装置。
【請求項８】
参照光を反射して多面付ホログラム用基材に対して参照光を照射する参照光用ミラーが設けられ、
参照光用ミラーはミラー本体と、ミラー本体を回動自在に支持するミラー回動部と、ミラー回動部を水平移動機構による枠体の移動と同一方向に移動させるミラー移動部と、を含むことを特徴とする請求項１記載のホログラム露光装置。
【請求項９】
水平移動機構、ミラー移動部およびミラー回動部は制御部により互いに関連付けて駆動制御されることを特徴とする請求項８記載のホログラム露光装置。
【請求項１０】
基材と、この基材上に多面付けで設けられた複数の要素ホログラムとからなる多面付ホログラムを製造するためのホログラム露光方法において、
基材と、基材上に設けられたホログラム感光材料とからなる多面付ホログラム用基材を準備する工程と、
この多面付ホログラム用基材を、ベース上に配置された枠体により垂直方向に保持する工程と、
ベース上で枠体を上下方向移動機構によって上下方向に、または水平方向移動機構によって水平方向に移動させ、枠体に保持された多面付ホログラム用基材に対して、物体光および参照光を照射してホログラム感光材に多面付けされた複数の要素ホログラムを形成する工程と、
を備えたことを特徴とするホログラム露光方法。
【発明の詳細な説明】
【技術分野】
【０００１】
本発明は多面付ホログラムを製造するためのホログラム露光装置およびホログラム露光方法に係り、とりわけ大型の多面付ホログラムを精度良く製造することができるホログラム露光装置およびホログラム露光方法に関する。
【背景技術】
【０００２】
従来より、ホログラムシートを連続的に製造するため多面付ホログラムが用いられている。このような多面付ホログラムは透明基材と、透明基材の一面に多面付けで設けられた複数の要素ホログラムとからなっている。
【０００３】
多面付ホログラムを製造する場合、まず透明基材と、透明基材の一面に設けられたホログラム感光材料とからなる多面付ホログラム用基材を準備して、水平方向に配置する。次に、予め要素ホログラムが形成されたホログラム原版を、多面付ホログラム用基材に対向して配置し、ホログラム原版によりレーザ光を回折させて物体光として多面付ホログラム用基材に入射させ、同時に多面付ホログラム用基材に参照光を入射させる。
【０００４】
このように多面付ホログラム用基材に物体光と参照光を入射させて露光することにより、多面付ホログラム用基材のホログラム感光材料に要素ホログラムを形成することができる。
【０００５】
このような作業を順次くり返し、透明基材の一面に多面付けされた複数の要素ホログラムをもつ多面付ホログラムを形成することができる。
【発明の開示】
【発明が解決しようとする課題】
【０００６】
上述のように多面付ホログラム用基材から作製された多面付ホログラムは、多面付けされた複数の要素ホログラムを有している。このため多面付ホログラム用基材は一般に形状が大きくなっており、透明基材がガラス板からなる場合、多面付ホログラム用基材自体の重量が重くなる。
【０００７】
多面付ホログラム用基材は、露光中水平方向に配置されるため、多面付ホログラム用基材の自重によりたわみが生じ、このたわみにより露光個所によっては回折効率の異なる要素ホログラムが形成されることがある。
【０００８】
また多面付ホログラム用基材は、水平方向に配置されるため、露光のために物体光と参照光を、多面付ホログラム用基材回りで引き回す際、多面付ホログラム用基材の上方または下方に光を導入する機構を設置する必要があり、この設置作業が煩雑となる。
【０００９】
本発明はこのような点を考慮してなされたものであり、多面付ホログラム用基材に多面付けで精度良く要素ホログラムを形成することができ、かつ光の導入機構を容易に設置することができるホログラム露光装置およびホログラム露光方法を提供することを目的とする。
【課題を解決するための手段】
【００１０】
本発明は、基材と、この基材上に多面付けで設けられた複数の要素ホログラムとからなる多面付ホログラムを製造するためのホログラム露光装置において、ベースと、ベース上に配置され、基材と基材上に設けられたホログラム感光材料とからなる多面付ホログラム用基材を垂直方向に保持するとともにベース上で上下方向および水平方向に移動可能な枠体と、ベース上で枠体を上下方向に移動させる上下方向移動機構と、ベース上で枠体を水平方向に移動させる水平方向移動機構とを備え、多面付ホログラム用基材に対して物体光および参照光を照射してホログラム感光材料に多面付けされた複数の要素ホログラムを形成することを特徴とするホログラム露光装置である。
【００１１】
本発明は、ベース上であって多面付ホログラム用基材を保持する枠体に対向する位置に、ホログラム原版を保持するホログラム原版保持部を設け、ホログラム原版より回折する光によって物体光を生成することを特徴とするホログラム露光装置である。
【００１２】
本発明は、多面付ホログラム用基材は矩形状をなし、枠体に多面付ホログラム用基材の隣り合う２辺に当接する係止部材を設け、かつ枠体に多面付ホログラム用基材の他の２辺に多面付ホログラム用基材を枠体の係止部材に対して押圧する押圧部材を設けたことを特徴とするホログラム露光装置である。
【００１３】
本発明は、枠体に近接して、多面付ホログラム用基材に入射する物体光および参照光を一部遮蔽する物体光用マスクと参照光用マスクを設けたことを特徴とするホログラム露光装置である。
【００１４】
本発明は、上下方向移動機構は、機械的ブレーキ装置を内蔵していることを特徴とするホログラム露光装置である。
【００１５】
本発明は、多面付ホログラム用基材は、一対の反射防止ガラスにより狹持されて枠体に保持されていることを特徴とするホログラム露光装置である。
【００１６】
本発明は、物体光と参照光を生成するためのレーザ光を出射するレーザ光出射部が設けられ、多面付ホログラム用基材の近傍に、物体光を遮蔽する物体光用シャッタ機構と、参照光を遮蔽する参照光用シャッタ機構が設けられ、上下方向移動機構、水平方向移動機構、物体光用シャッタ機構、および参照光用シャッタ機構は、制御部により互いに関連付けて駆動制御されることを特徴とするホログラム露光装置である。
【００１７】
本発明は、参照光を反射して多面付ホログラム用基材に対して参照光を照射する参照光用ミラーが設けられ、参照光用ミラーはミラー本体と、ミラー本体を回動自在に支持するミラー回動部と、ミラー回動部を水平移動機構による枠体の移動と同一方向に移動させるミラー移動部と、を含むことを特徴とするホログラム露光装置である。
【００１８】
本発明は、水平移動機構、ミラー移動部およびミラー回動部は制御部により互いに関連付けて駆動制御されることを特徴とするホログラム露光装置である。
【００１９】
本発明は、基材と、この基材上に多面付けで設けられた複数の要素ホログラムとからなる多面付ホログラムを製造するためのホログラム露光方法において、基材と、基材上に設けられたホログラム感光材料とからなる多面付ホログラム用基材を準備する工程と、この多面付ホログラム用基材を、ベース上に配置された枠体により垂直方向に保持する工程と、ベース上で枠体を上下方向移動機構によって上下方向に、または水平方向移動機構によって水平方向に移動させ、枠体に保持された多面付ホログラム用基材に対して、物体光および参照光を照射してホログラム感光材に多面付けされた複数の要素ホログラムを形成する工程と、を備えたことを特徴とするホログラム露光方法である。
【発明の効果】
【００２０】
以上のように本発明によれば、ベース上で枠体により多面付ホログラム用基材を垂直方向に保持することができるので、露光中に多面付ホログラム用基材がたわむことなく、多面付ホログラム用基材に多面付けで精度良く複数の要素ホログラムを形成することができる。また多面付ホログラム用基材に入射される光の導入機構を容易に設置することができる。
【発明を実施するための最良の形態】
【００２１】
以下、図面を参照して本発明の実施の形態について説明する。
【００２２】
図１乃至図８は本発明によるホログラム露光装置およびホログラム露光方法の一実施の形態を示す図である。
【００２３】
まず図１乃至図３により、ホログラム露光装置の概略について述べる。本発明によるホログラム露光装置は、多面付ホログラム用基材１０を露光することにより、多面付けされた複数の要素ホログラム１０ａを有する多面付ホログラム１０Ａを製造するものである。
【００２４】
この場合、多面付ホログラム用基材１０は、図３および図１０に示すように透明基板（透明ガラス）１と、透明基材１上に設けられたホログラム感光材料２とを有している。また、このような多面付ホログラム用基材１０は、更に透明基材１とホログラム感光材料２とを両側から狹持して保持する一対の反射防止ガラス３、４を有していてもよい。
【００２５】
この場合、反射防止ガラス３は後述のように物体光５側を向き、反射防止ガラス４は後述のように参照光６側を向く。また物体光５側の反射防止ガラス３は、ガラス板３ａとガラス板３ａ表面に設けられた反射防止膜３ｂとからなり、このうち反射防止膜３ｂは参照光６の反射を防止する特殊構造を有している。また参照光６側の反射防止ガラス４は、ガラス板４ａとガラス板４ａ表面に設けられた反射防止膜４ｂとからなり、このうち反射防止膜４ｂは物体光５の反射を防止する特殊構造を有している。
【００２６】
なお、図３および図１０において、多面付ホログラム用基材１０の一側から物体光５を照射し、多面付ホログラム用基材１０の他側から参照光６を照射する例を示したが、これに限らず多面付ホログラム用基材の一側から物体光５と参照光６をともに照射させてもよい。この場合は、多面付ホログラム用基材１０の透明基材１の代わりに、透明でない基材を用いてもよい。
【００２７】
さらに図３および図４において、多面付ホログラム用基材１０の透明基材１とホログラム感光材料２とを入れ替えてもよい。
【００２８】
上述のような構成からなる多面付ホログラム用基材１０は垂直方向に配置される。次に多面付ホログラム用基材１０に対して、この多面付ホログラム用基材１０の両側から物体光５および参照光６を照射して露光することにより、多面付ホログラム用基材１０のホログラム感光材料に要素ホログラム１０ａを形成することができる。そして後述のように、多面付ホログラム用基材１０を垂直方向に維持したまま上下方向および垂直方向に移動させることにより、多面付ホログラム用基材１０に多面付けされた複数の要素ホログラム１０ａを形成することができ、このようにして多面付ホログラム１０Ａが得られる（図１および図１１参照）。
【００２９】
この多面付ホログラム１０Ａは、後工程においてシート材料の露光工程に用いられ、シート材料に対して多数の要素ホログラムを作製することができる。
【００３０】
ところで図１および図９に示すように、多面付ホログラム用基材１０に対して照射される物体光５および参照光６は、いずれもレーザ光出射部１２から出射されるレーザ光Ｌから生成される。
【００３１】
すなわちレーザ光出射部１２から出射されるレーザ光Ｌは、シャッタ機構１３を通ってビームスプリッタ１４において２つの光に分岐し、一方の光Ｌはミラー１６、スペイシャルフィルタ１７ｂおよび物体光用シャッタ機構１３ｂを経てホログラム原版１１を通って物体光５となり、物体光マスク３８ｂを介して多面付ホログラム用基材１０の一方の側面に水平方向側方から入射する。ビームスプリッタ１４において分岐された他方のレーザ光Ｌは、ミラー１５ａ、１５ｂ、スペイシャルフィルタ１７ａおよび参照光用シャッタ機構１３ａを通って参照光６として参照光マスク３８ａを介して多面付ホログラム用基材１０の他方の側面に水平方向側方から入射する。
【００３２】
なお、ビームスプリッタ１４の入口側、分岐した２つの出口側には、各々偏光板１４ａが設けられている。また、多面付ホログラム用基材１０は、後述のように上下方向に移動する移動体２５に水平方向移動自在に設けられた枠体２２により保持されている。
【００３３】
このように多面付ホログラム用基材１０に対して物体光５と参照光６とを入射させることにより、上述のように多面付ホログラム用基材１０のホログラム感光材料２に要素ホログラム１０ａを多面付けにて形成することができる。
【００３４】
図９において、ホログラム原版１１に入射するレーザ光Ｌは再生照明光ともよばれ、ホログラム原版１１を透過回折して物体光５となる。この物体光５は多面付ホログラム用基材１０に照射して、ホログラム感光材料２に再生像を形成し参照光６とともに要素ホログラム１０ａを作製するようになっている。
【００３５】
なお、図１に示すように、シャッタ機構１３、参照光用シャッタ機構１３ａ、および物体光用シャッタ機構１３ｂは制御部１８により駆動制御され、またこの制御部１８は後述のように上下方向駆動機構２８の駆動モータ２９と、水平方向駆動機構３０の駆動モータ３１を各シャッタ機構１３、参照光用シャッタ機構１３ａ、および物体光用シャッタ機構１３ｂと関連づけて制御するようになっている。
【００３６】
次に図１乃至図８により、ホログラム露光装置について後述する。図１乃至図８に示すように、ホログラム露光装置２０は、多面付ホログラム用基材１０とホログラム原版１１を、互いに向き合うよう垂直方向に保持している。
【００３７】
すなわち、ホログラム露光装置２０は、ベース２１と、ベース２１上に固定して配置された門型フレーム２３と、門型フレーム２３に対して上下方向に移動自在に設けられた移動板２５と、この移動板２５に対して水平方向に移動自在に設けられ、多面付ホログラム用基材１０を保持する枠体２２とを備えている。
【００３８】
このうち、ベース２１上に設けられた門型フレーム２３は、ベース２１上に固定されている。また門型フレーム２３の一対の垂直部２３ａにはガイド２４が取付けられ、このガイド２４に沿って移動板２５が上下方向に移動するようになっている。移動板２５は内部に開口を有するとともに、門型フレーム２３の一方の垂直部２３ａに設けられたボールネジ２８ａにより上下方向に駆動される。すなわち一方の垂直部２３ａにはボールネジ２８ａが垂直方向に延びて配置され、このボールネジ２８ａは下端に設けられた駆動モータ２９により駆動される。ボールネジ２８ａは移動板２５の嵌合部２５ａに嵌合しており、ボールネジ２８ａの回転に伴って移動板２５がガイド２４に沿って上下方向に移動する。なお、駆動モータ２９には、機械的ブレーキ機構が内蔵されている。
【００３９】
このうち、ボールネジ２８ａと駆動モータ２９とによって、上下方向移動機構２８が構成されている。
【００４０】
また、移動板２５にはその上下方向端部に水平方向に延びる２本のガイド２６が設けられ、枠体２２はこのガイド２６に沿って水平方向に移動することができる。
【００４１】
すなわち移動板２５のうち下方のガイド２６より更に下方部分に水平方向に延びるボールネジ３０ａが設けられ、このボールネジ３０ａは駆動モータ３１により駆動される。ボールネジ３０ａは枠体２２の嵌合部２２ａに嵌合しており、ボールネジ３０ａの回転に伴って、枠体２２がガイド２６に沿って水平方向に移動するようになっている。なお、駆動モータ３１には機械的ブレーキ機構が内蔵されている。
【００４２】
このうち、ボールネジ３０ａと駆動モータ３１とによって、水平移動機構３０が構成される。
【００４３】
次に枠体２２に多面付ホログラム用基材１０を保持する機構について図７により説明する。図７に示すように、枠体２２のホログラム原版１１側の面に多面付ホログラム用基材１０が固定して保持されている。
【００４４】
図７に示すように、枠体２２に保持された多面付ホログラム用基材１０は矩形状をなしており、枠体２２も多面付ホログラム用基材１０に対応して矩形状をなし、枠体２２のうち多面付ホログラム用基材１０の隣り合う２辺、例えば左辺と下辺に対応する部分にピン３３が設けられている。この場合、枠体２２には、多面付ホログラム用基材１０の左辺に対応して１本のピン（係止部材）３３が設けられ、多面付ホログラム用基材１０の底辺に対応して２本のピン３３が設けられている。
【００４５】
さらに枠体２２のうち多面付ホログラム用基材１０の上辺に対応する部分に２個の押圧部材３４が設けられ、右辺に対応する部分に１個の押圧部材３４が設けられている。
【００４６】
そして、これら押圧部材３４によって多面付ホログラム用基材１０を左辺および底辺のピン３３に押付けることにより、枠体２２上において多面付ホログラム用基材１０を精度良く位置決めすることができる。
【００４７】
なお、各押圧部材３４には、スプリングが内蔵され、このスプリングの力によって多面付ホログラム用基材１０を押圧することができる。図７において、符号１０ｂはレーザ光の有効範囲を示している。
【００４８】
ところで、枠体２２上に保持された多面付ホログラム用基材１０に対して、枠体２２側からの参照光６を一部遮蔽する参照光用マスク３８ａを設けてもよい。この参照光用マスク３８ａは、門型フレーム２３に駆動機構３７を介して取付けられており、枠体２２側から入射する参照光を一部遮蔽することができる（図８参照）。
【００４９】
また、ホログラム原版１１からの物体光５を一部遮蔽するための物体光用マスク３８ｂを参照光用マスク３８ａに対向して設けてもよい。
【００５０】
上述のようにベース２１上において、門型フレーム２３側に、枠体２２により保持された多面付ホログラム用基材１０が垂直方向に配置されているが、この多面付ホログラム用基材１０に対向して垂直方向に配置されたホログラム原版１１は、ベース２１上においてマスタ原版保持部４０を介して保持されている。
【００５１】
このマスタ原版保持部４０は、ベース２１上において、門型フレーム２３に対して離接するように移動自在に設けられている。
【００５２】
次にこのような構成からなる本実施の形態の作用、すなわちホログラム露光方法について説明する。まず透明基材（透明ガラス）１と、この透明基材１上に設けられたホログラム感光材料２と、これら透明基材１とホログラム感光材料２とを狹持する一対の反射防止ガラス３、４とからなる多面付ホログラム用基材１０を作製して準備する。
【００５３】
この場合、各反射防止ガラス３、４は、ガラス板３ａ、４ａと、ガラス板３ａ、４ａ表面に設けられた反射防止膜３ｂ、４ｂとからなっている。またホログラム感光材料２が設けられた透明基材１と各反射防止ガラス３、４との間にオイルが充填され、このオイルにより透明基材１と各反射防止ガラス３、４とが密着している。
【００５４】
次に、上述のような層構成を有する多面付ホログラム用基材１０がベース２１上に設けられた枠体２２に保持され固定される。この場合、枠体２２のピン３３に多面付ホログラム用基材１０の左辺と底辺を当接させ、多面付ホログラム用基材１０の右辺と上辺に対して押圧部材３４を押圧させることにより、枠体２２上において多面付ホログラム用基材１０を精度良く位置決めすることができる（図７参照）。
【００５５】
次にベース２１上でマスタ原版保持部４０を移動させ、多面付ホログラム用基材１０に対してホログラム原版１１を所定位置まで接近させる。
【００５６】
次に制御部１８によりレーザ光出射部１２からレーザ光を出射するとともに、制御部１８によりシャッタ機構１３、参照光用シャッタ機構１３ａ、物体光用シャッタ機構１３ｂと駆動モータ２９、３１を関連づけて駆動制御する。
【００５７】
すなわち、まず駆動モータ２９を駆動してボールネジ２８ａを回転させて移動板２５を上下方向に移動させる。次に駆動モータ３１を駆動してボールネジ３０ａを回転させて枠体２２を水平方向に移動させる。
【００５８】
このようにして枠体２２に保持された多面付ホログラム用基材１０を垂直方向に保持しながら、上下方向および水平方向に移動させて、所望位置までもってくる。
【００５９】
この状態で制御部１８により駆動モータ２９、３１の駆動を停止し、枠体２２が確実に静止する所定時間後にシャッタ機構１３を開として、枠体２２に保持された多面付ホログラム用基材１０の一方の側面から水平方向に物体光５を入射し、多面付ホログラム用基材１０の他方の側面から水平方向に参照光６を入射して多面付ホログラム用基材１０のホログラム感光材料２を露光してホログラム感光材料２に要素ホログラム１０ａを形成する。
【００６０】
この場合、物体光５と参照光６の入射に先だち、多面付ホログラム用基材１０の両側に物体光用マスク３８ｂと参照光用マスク３８ａを配置して、物体光５と参照光６の各々の一部を遮蔽しておく。
【００６１】
このようにして多面付ホログラム用基材１０のホログラム感光材料２に要素ホログラム１０ａを形成した後、制御部１８によって上述のように駆動モータ２９、３１を順次駆動して多面付ホログラム用基材１０を上下方向および水平方向に順次移動させて多面付ホログラム用基材１０を次の所望位置までもってくる。
【００６２】
その後、上述と同様にして多面付ホログラム用基材１０の両側から物体光５と参照光６を照射して、ホログラム感光材料２に同一構造をもつ次の要素ホログラム１０ａを形成する。
【００６３】
このような作業を順次繰り返すことにより、多面付ホログラム用基材１０のホログラム感光材料２に多面付けされた複数の要素ホログラム１０ａを形成することができ、このようにして多面付けされた複数のホログラム１０ａを有する多面付ホログラム１０Ａが得られる（図１１参照）。
【００６４】
以上のように、本実施の形態によれば、ベース２１上において、多面付ホログラム用基材１０が枠体２２により水平方向に保持固定されるとともに、多面付ホログラム用基材１０の両側の側面から水平方向に物体光５と参照光６とが入射して要素ホログラム１０ａが形成される。多面付ホログラム用基材１０は一般に大型で重量が重くなっているが、多面付ホログラム用基材１０は垂直方向に配置されているので、水平方向に配置されている場合に比べて、多面付ホログラム用基材１０のたわみは小さい。このため多面付ホログラム用基材の露光によって、たわみにより回折効率が異なるホログラムが形成されることはない。
【００６５】
また露光中、多面付ホログラム用基材１０の両側から水平方向に物体光５と参照光６とが入射するので、物体光５と参照光６の導入機構、例えばミラー等を設置したりメンテナンスする作業を容易に行なうことができる。
【００６６】
すなわち多面付ホログラム用基材を水平方向に配置した場合、物体光と参照光の導入機構は、この多面付ホログラム用基材の上方および下方に配置しなければならず、とりわけ多面付ホログラム用基材の下方にもぐって光の導入機構を設置する作業は容易ではない。これに対して本発明によれば、多面付ホログラム用基材１０の両側に光の導入機構を設けるため、導入機構の設置作業およびメンテナンス作業を容易に行なうことができる。
【００６７】
さらにまた露光作業中に停電等が生じても、駆動モータ２９、３１は各々機械的ブレーキ機構を有するので、とりわけ駆動モータ２９による多面付ホログラム用基材１０の落下および破損を未然に防ぐことができる。
【００６８】
次に図１２により、本発明によるホログラム露光装置の変形例について述べる。図１２に示すように、本変形例において、レーザ光出射部１２およびビームスプリッタ１４を経た参照光６を反射させ、枠体２２に保持された多面付ホログラム用基材１０に対して照射するため参照光用ミラー１５ｂが設けられている。
【００６９】
また参照光用ミラー１５ｂの上流側には、参照光用シャッタ機構１３ａおよびスペイシャルフィルタ１７ａが順次設けられている。
【００７０】
また参照光用ミラー１５ｂは、ミラー本体１５ｃと、ミラー本体１５ｃを回動自在に支持するミラー回動部１５ｄと、ミラー回動部１５ｄを水平移動機構３０による枠体２２の移動方向と同一方向に移動させるミラー移動部１５ｅとを含んでいる。
【００７１】
図１２において、多面付ホログラム用基材１０に対して物体光５および参照光６を照射して露光することによりホログラム感光材料２に多面付けされた複数の要素ホログラム１０ａを形成する。
【００７２】
この場合、各要素ホログラム１０ａの形成にあたり、各要素ホログラム１０ａの配置位置に対応して異なる入射角をもって参照光６が入射するよう、ミラー本体１５ｃの位置を変化させる。
【００７３】
すなわち多面付ホログラム用基材１０に対して物体光５および参照光６を照射して露光する際、水平移動機構３０により枠体２０を水平方向に移動させて多面付ホログラム用基材１０を所望の露光位置までもってくる。このとき形成される各要素ホログラム１０ａの配置位置、例えば当該各要素ホログラム１０ａが多面付ホログラム用基材１０の端部位置にあるか、中央位置にあるか等の配置位置に対応して、参照光用ミラー１５ｂからの参照光の入射角が所定値をとるようミラー移動部１５ｅを枠体２０の水平移動方向に沿って移動させる。
【００７４】
次にミラー移動部１５ｅの移動位置に合わせてミラー回動部１５ｄを回動させ、多面付ホログラム用基材１０の露光位置において物体光５と参照光６とを干渉させる。
【００７５】
このようにして、多面付ホログラム用基材１０に各要素ホログラム１０ａの配置位置に対応した入射角をもつ参照光６を用いて多面付けされた要素ホログラム１０ａを形成することができる。
【００７６】
このようにして多面付けされた複数のホログラム１０ａを有する多面付ホログラム１０Ａを得ることができる。
【００７７】
このようにして得られた多面付ホログラム１０Ａを用いて露光によりホログラムの複製を行なう際、平行な参照光を用いてホログラムの複製を行なうことはむずかしく、発散する参照光を用いてホログラムの複製を行なうことになる。
【００７８】
本変形例によれば、多面付ホログラム１０Ａの各要素ホログラム１０ａはその配置位置、例えば端部位置かまたは中央位置か等に対応した入射角をもつ参照光６を用いて形成されるので、各要素ホログラム１０ａに関しホログラムの複製を行なう場合の参照光の入射角と、要素ホログラム１０ａを形成する際の参照光の入射角とを対応させることができる。このため各要素ホログラム１０ａにより、最適な入射角の参照光を用いてホログラムの複製を行なうことができる。
【００７９】
なお、上記において、ミラー移動部１５ｅ、ミラー回動部１５ｄは、水平移動機構３０と関連づけて制御部１８により制御される。
【図面の簡単な説明】
【００８０】
【図１】本発明によるホログラム露光装置の概略を示す全体図。
【図２】本発明によるホログラム露光装置の概略側面図。
【図３】多面付ホログラム用基材を示す断面図。
【図４】本発明によるホログラム露光装置を示す正面図。
【図５】本発明によるホログラム露光装置を示す側面図。
【図６】本発明によるホログラム露光装置を示す底面図。
【図７】多面付ホログラム用基材を保持する枠体を示す図。
【図８】多面付ホログラム用基材近傍に設けられた参照光用マスクを示す図。
【図９】多面付ホログラム用基材に物体光と参照光を照射する状態を示す図。
【図１０】多面付ホログラム用基材に物体光と参照光を照射する状態を示す図。
【図１１】複数の要素ホログラムを有する多面付ホログラムを示す図。
【図１２】本発明によるホログラム露光装置の変形例を示す概略図。
【符号の説明】
【００８１】
１  透明基材
２  ホログラム感光材料
３  反射防止ガラス
５  物体光
６  参照光
１０  多面付ホログラム用基材
１１  ホログラム原版
１２  レーザ光出射部
１３  シャッタ機構
１３ａ  参照光用シャッタ機構
１３ｂ  物体光用シャッタ機構
１４  ビームスプリッタ
１５ａ，１５ｂ，１５ｃ  ミラー
１８  制御部
２０  露光装置
２１  ベース
２２  枠体
２３  門型フレーム
２４  ガイド
２５  移動板
２６  ガイド
２８  上下方向移動機構
２８ａ  ボールネジ
２９  駆動モータ
３０  水平方向移動機構
３０ａ  ボールネジ
３１  駆動モータ
３３  ピン
３４  押圧部材
３８ａ  参照光用マスク
３８ｂ  物体光用マスク
４０  マスタ原版保持部
【図１】
2007122039.tif 000003
【図２】
2007122039.tif 000004
【図３】
2007122039.tif 000005
【図４】
2007122039.tif 000006
【図５】
2007122039.tif 000007
【図６】
2007122039.tif 000008
【図７】
2007122039.tif 000009
【図８】
2007122039.tif 000010
【図９】
2007122039.tif 000011
【図１０】
2007122039.tif 000012
【図１１】
2007122039.tif 000013
【図１２】
2007122039.tif 000014